(57)【要約】【課題】ブロー成形金型のパリソン保持構造において、パリソンの無駄がなく、構造の簡単なパリソン保持構造を提供する。【解決手段】ブロー成形金型のパリソン保持構造において、ブロー成形金型をパーティングラインで開いたブロー成形割型１０の間に、パリソン保持枠２０を進退自在に設ける。ブロー成形割型１０のパリソン保持枠２０に対向する面の外周部分にパリソン保持凹部１３を複数個設ける。パリソン保持凹部１３に対応する位置に、パリソン８をパリソン保持凹部１３に押圧する保持枠押圧部材３０を設け、パリソン保持凹部１３にパリソン保持枠２０の保持枠押圧部材３０で押込まれたパリソン８により、パリソン８を保持する保持構造を有する。【選択図】図５
2019119054.tif 000002
【特許請求の範囲】
【請求項１】
ブロー成形金型を使用して、ブロー成形品をシート状のパリソンから成形するブロー成形金型のシート状のパリソン落下、剥がれ防止構造において、
上記ブロー成形金型をパーティングラインで開いたときに、開いた上記ブロー成形割型の間に、上記パリソンを上記ブロー成形割型に押圧するパリソン保持枠を進退自在に設け、
上記ブロー成形割型の上記パリソン保持枠に対向する面の外周部分にパリソン保持凹部を複数個設け、
上記ブロー成形割型の上記パリソン保持凹部に対応する位置に、上記パリソンを上記ブロー成形割型の上記パリソン保持凹部に押圧する保持枠押圧部材を設け、
上記ブロー成形割型の上記パリソン保持凹部に上記パリソン保持枠の上記保持枠押圧部材で押込まれた上記パリソンにより、上記パリソンを保持する保持構造を有することを特徴とするブロー成形金型のシート状のパリソン落下、剥がれ防止構造。
【請求項２】
上記パリソン保持枠の上記保持枠押圧部材は、上記ブロー成形割型の上記パリソン保持凹部に進入可能な押圧ブロックを有する請求項1に記載のブロー成形金型のシート状のパリソン落下、剥がれ防止構造。
【請求項３】
上記パリソン保持枠の上記保持枠押圧部材は、上記ブロー成形割型の上記パリソン保持凹部にアクチュエータで上記押圧ブロックを進退自在とする構造である請求項２に記載のブロー成形金型のシート状のパリソン落下、剥がれ防止構造。
【請求項４】
上記ブロー成形割型の上記パリソン保持凹部は、上記ブロー成形割型のキャビティー面が形成された上記ブロー成形割型のコーナー部に形成されている請求項１乃至請求項３のいずれか一項に記載のブロー成形金型のシート状のパリソン落下、剥がれ防止構造。
【請求項５】
上記パリソンを上記ブロー成形割型の上記パリソン保持凹部に上記パリソン保持枠の上記保持枠押圧部材で押圧したのち、上記パリソン保持枠の上記保持枠押圧部材の進入方向の横方向から、上記パリソンを上記ブロー成形割型の上記パリソン保持凹部の壁に押圧する上記ブロー成形割型に取付けられた金型押圧部材を有する請求項１乃至請求項４のいずれか一項に記載のブロー成形金型のシート状のパリソン落下、剥がれ防止構造。
【請求項６】
上記ブロー成形割型の上記金型押圧部材は、上記ブロー成形割型の上記パリソン保持凹部にアクチュエータで金型押圧ブロックを進退自在とする構造である請求項５に記載のブロー成形金型のシート状のパリソン落下、剥がれ防止構造。
【請求項７】
上記ブロー成形割型のキャビティーの周縁部に上記パリソンが進入する内側ポケットが形成された請求項１乃至請求項６のいずれか一項に記載のブロー成形金型のシート状のパリソン落下、剥がれ防止構造。
【発明の詳細な説明】
【技術分野】
【０００１】
本発明は、ブロー成形金型を使用して、ブロー成形品をパリソンから成形するブロー成形金型のシート状のパリソン落下、剥がれ防止構造に関するものである。
【背景技術】
【０００２】
従来、中空状のブロー成形品、例えば、自動車用等の燃料タンクの構造としては、金属製のものが用いられていたが、近年、車両の軽量化や、錆が発生しないこと、所望の形状に成形しやすいことなどによって中空状の熱可塑性合成樹脂製のものが用いられるようになってきた。
【０００３】
熱可塑性合成樹脂製の中空状の製品の製造は、中空体を成形することの容易性からブロー成形方法が多く用いられてきた。ブロー成形方法では、溶融した熱可塑性合成樹脂部材のパリソンを円筒状にして上から押出して、平板状に開いて、そのパリソンを金型で挟みパリソン中に空気を吹き込み、中空体を製造していた。
そのパリソンを金型で挟むときに、パリソンが金型から外れないようにパリソンの上端や下端を金型に保持することが必要である。
【０００４】
そのため、パリソンの上端や下端を金型に保持するように、パリソンの上端や下端を長く伸ばして、金型の上端や下端にパリソンの上端や下端を被せてパリソンを金型から外れないようにすることが行われている。しかしながら、この場合には、金型の上端や下端にパリソンの上端や下端を被せるためのパリソンを長く伸ばした部分は、ブロー成形品には使用しないため、材料の歩留まりが悪く、ブロー成形のサイクルも長くなっていた。
【０００５】
このため、図１５に示すように、ブロー成形金型１１０の上面１１２に複数個の穴部１１３を設け、穴部１１３の内部には、幅方向の断面が半円形の複数個の柱状体１１４を設けて、断面形状が半円形の柱状体１１４を軸体１１５で連結し、軸体１１５をアクチュエータ１１６で回転させるものがある（例えば、特許文献１参照。）。
【０００６】
この断面形状が半円形の柱状体１１４を回転させて、柱状体１１４の先端をブロー成形金型１１０の上面１１２から突出させて、パリソンを保持している。
この場合には、半円形の柱状体１１４を穴部１１３の内部に戻すために回転させるときに、パリソンが柱状体１１４に引掛かかったり、ちぎれたりする場合がある。また、柱状体１１４にパリソンを保持させるために、パリソンの全長を長く伸ばす必要もあった。
また、製品の形状によってパリソン下端や左右端を保持できず落下又は剥がれたりすることもある。
【先行技術文献】
【特許文献】
【０００７】
【特許文献１】特開２０１７−１３６７５０号公報
【発明の概要】
【発明が解決しようとする課題】
【０００８】
そのため、本発明は、ブロー成形金型を使用して、ブロー成形品をパリソンから成形するブロー成形金型のシート状のパリソン落下、剥がれ防止構造において、パリソンの無駄がなく、構造の簡単なシート状のパリソン落下、剥がれ防止構造を提供することを課題とする。
【課題を解決するための手段】
【０００９】
上記課題を解決するための請求項１の本発明は、ブロー成形金型を使用して、ブロー成形品をパリソンから成形するブロー成形金型のシート状のパリソン落下、剥がれ防止構造において、
ブロー成形金型をパーティングラインで開いたときに、開いたブロー成形割型の間に、パリソンをブロー成形割型に押圧するパリソン保持枠を進退自在に設け、
ブロー成形割型のパリソン保持枠に対向する面の外周部分にパリソン保持凹部を複数個設け、
ブロー成形割型のパリソン保持凹部に対応する位置に、パリソンをブロー成形割型のパリソン保持凹部に押圧する保持枠押圧部材を設け、
ブロー成形割型のパリソン保持凹部にパリソン保持枠の保持枠押圧部材で押込まれたパリソンにより、パリソンを保持する保持構造を有することを特徴とするブロー成形金型のシート状のパリソン落下、剥がれ防止構造である。
【００１０】
請求項１の本発明では、ブロー成形金型を使用して、ブロー成形品をパリソンから成形するブロー成形金型のシート状のパリソン落下、剥がれ防止構造において、ブロー成形金型をパーティングラインで開いたときに、開いたブロー成形割型の間にパリソンをブロー成形金型に押圧するパリソン保持枠を進退自在に設けている。このため、ブロー成形金型を開いたときに、パリソン保持枠をその間に入れて、パリソン保持枠により、パリソンをブロー成形割型のキャビティーの外周に沿って、押圧することができ、パリソンをブロー成型金型のキャビティーでブロー成形することができる。
【００１１】
ブロー成形割型のパリソン保持枠に対向する面の外周部分にパリソン保持凹部を複数個設けている。このため、パリソン保持部のパリソン保持凹部にパリソンの外周部分を進入させて、キャビティーの外周部分に沿って複数の部分でパリソンをブロー成形割型に保持させることができる。
【００１２】
パリソン保持枠は、ブロー成形割型のパリソン保持凹部に対応する位置に、パリソンをブロー成形割型のパリソン保持凹部に押圧する保持枠押圧部材を設けている。このため、パリソン保持枠をブロー成形割型に向かって移動させると、保持枠押圧部材がパリソンをブロー成形割型のパリソン保持凹部に押し込むことができ、パリソンをブロー成形割型のキャビティーの外周部分に保持することができる。
【００１３】
ブロー成形割型のパリソン保持凹部にパリソン保持枠の保持枠押圧部材で押込まれたパリソンにより、パリソンを保持する保持構造を有する。このため、パリソンをブロー成形割型の上面や下面等に回すことなく、パリソンの周縁部をブロー成形割型のパリソン保持凹部に保持して、パリソンをキャビティー面に確実に位置するように保持することができる。また、キャビティー面からはみ出すパリソンの量を少なくすることができ、材料の歩留まりを向上させることができる。
【００１４】
請求項２の本発明は、パリソン保持枠の保持枠押圧部材は、ブロー成形割型のパリソン保持凹部に進入可能な押圧ブロックを有するブロー成形金型のシート状のパリソン落下、剥がれ防止構造である。
【００１５】
請求項２の本発明では、パリソン保持枠の保持枠押圧部材は、ブロー成形割型のパリソン保持凹部に進入可能な押圧ブロックを有する。このため、パリソン保持枠の保持枠押圧部材を動かすことで、簡単な構造で、確実にパリソンをブロー成形金型のパリソン保持凹部に押し込むことができる。
【００１６】
請求項３の本発明は、パリソン保持枠の保持枠押圧部材は、ブロー成形割型のパリソン保持凹部にアクチュエータで保持枠押圧ブロックを進入可能とする構造であるブロー成形金型のシート状のパリソン落下、剥がれ防止構造である。
【００１７】
請求項３の本発明では、パリソン保持枠の保持枠押圧部材は、ブロー成形割型のパリソン保持凹部にアクチュエータで保持枠押圧ブロックを進入可能とする構造である。このため、パリソン保持枠をパリソンに近接させて、アクチュエータで保持枠押圧部材の保持枠押圧ブロックをブロー成形金型のパリソン保持凹部に進入させて、パリソンをパリソン保持凹部に押し込むことができる。
【００１８】
請求項４の本発明は、ブロー成形割型のパリソン保持部は、ブロー成形割型のキャビティー面が形成されたブロー成形割型のコーナー部に形成されているブロー成形金型のシート状のパリソン落下、剥がれ防止構造である。
【００１９】
請求項４の本発明では、ブロー成形割型のパリソン保持部は、ブロー成形割型のキャビティー面が形成されたブロー成形割型のコーナー部に形成されている。このため、ブロー成形割型のコーナー部に確実にパリソンを保持することができ、パリソンがキャビティー面の全体を覆うように、キャビティー面が形成された金型面に確実に保持して、ブロー成形品以外のバリの部分を少なくすることができる。
【００２０】
請求項５の本発明は、パリソンをブロー成形割型のパリソン保持凹部にパリソン保持枠の保持枠押圧部材で押圧したのち、パリソン保持枠の保持枠押圧部材の進入方向の横方向から、パリソンをブロー成形割型のパリソン保持凹部の壁に押圧するブロー成形割型に取付けられた金型押圧部材を有するブロー成形金型のシート状のパリソン落下、剥がれ防止構造である。
【００２１】
請求項５の本発明では、パリソンをブロー成形割型のパリソン保持凹部にパリソン保持枠の保持枠押圧部材で押圧したのち、パリソン保持枠の保持枠押圧部材の進入方向の横方向から、パリソンをブロー成形割型のパリソン保持凹部の壁に押圧するブロー成形割型に取付けられた金型押圧部材を有する。このため、パリソンをブロー成形割型の保持枠押圧部材で、ブロー成形割型のパリソン保持凹部に押圧したのち、さらに横方向からブロー成形割型の金型押圧部材で、パリソンをブロー成形割型のパリソン保持凹部の壁に押圧することができ、パリソンをより確実にブロー成形割型のパリソン保持凹部に保持することができる。
【００２２】
請求項６の本発明は、ブロー成形割型の金型押圧部材は、ブロー成形割型のパリソン保持凹部にアクチュエータで金型押圧ブロックを進退自在とする構造であるブロー成形金型のシート状のパリソン落下、剥がれ防止構造である。
【００２３】
請求項６の本発明では、ブロー成形割型の金型押圧部材は、ブロー成形割型のパリソン保持凹部にアクチュエータで金型押圧ブロックを進退自在とする構造である。このため、アクチュエータで金型押圧ブロックをパリソン保持凹部に進入させることができ、確実にブロー成形割型のパリソン保持凹部の壁に押圧することができる。
【００２４】
請求項７の本発明は、ブロー成形割型のキャビティーの周縁部にパリソンが進入する内側ポケットが形成されたブロー成形金型のシート状のパリソン落下、剥がれ防止構造である。
【００２５】
請求項７の本発明では、ブロー成形割型のキャビティーの周縁部にパリソンが進入する内側ポケットが形成されたため、キャビティーに近接した内側ポケットもパリソンを保持することができ、パリソンがブロー成形割型から一層剥がれ難くなっている。
【発明の効果】
【００２６】
パリソン保持枠は、ブロー成形割型のパリソン保持凹部に対応する位置に、パリソンをブロー成形割型のパリソン保持凹部に押圧する保持枠押圧部材を設けている。このため、パリソン保持枠をブロー成形割型に向かって移動させると、保持枠押圧部材がパリソンをブロー成形割型のパリソン保持凹部に押し込むことができ、パリソンをブロー成形割型のキャビティーの外周部分に保持することができる。
【００２７】
パリソンの周縁部をブロー成形割型のパリソン保持凹部にパリソン保持枠の保持枠押圧部材で押圧して保持する保持構造を有するため、保持枠押圧部材がパリソンをブロー成形割型のパリソン保持凹部に押し込むことができ、パリソンをブロー成形割型の上面や下面等に回すことなく、パリソンの周縁部をブロー成形割型のパリソン保持凹部に保持して、パリソンをキャビティー面に確実に位置するように保持することができる。キャビティー面からはみ出すパリソンの量を少なくすることができる。
【図面の簡単な説明】
【００２８】
【図１】本発明の実施の形態で使用するブロー成形金型の割型を開いた状態の正面図である。
【図２】本発明の実施の形態で使用するパリソン保持枠の正面図である。
【図３】本発明の実施の形態で使用するパリソン保持枠がブロー成形金型の割型に押圧され、パリソンを挟持した状態の側面図である。
【図４】本発明の実施の形態で使用するブロー成形金型の割型を開いた状態で、ブロー成形割型とパリソン保持枠の間にパリソンを置いた状態の側面図である。
【図５】本発明の実施の形態で使用するパリソン保持枠がブロー成形割型に押圧され、パリソンを挟持する直前の状態の側面図である。
【図６】本発明の実施の形態で使用するブロー成形割型にパリソンが押圧され、パリソン保持枠がブロー成形割型の割型から離れた状態の側面図である。
【図７】本発明の実施の形態で使用するブロー成形割型に形成されたパリソン保持凹部の部分の拡大斜視図である。
【図８】本発明の実施の形態で使用するブロー成形割型に形成された金型押圧部材の部分の拡大斜視図である。
【図９】本発明の実施の形態で使用するブロー成形割型に形成されたパリソン保持パリソン保持凹部と金型押圧部材の部分に、パリソン保持枠の保持枠押圧部材が近接する状態を示す拡大斜視図である。
【図１０】本発明の実施の形態で使用するブロー成形割型に形成されたパリソン保持パリソン保持凹部にパリソン保持枠の保持枠押圧部材が進入する状態を示す拡大断面図である。
【図１１】本発明の実施の形態で使用するブロー成形割型の割型に形成されたパリソン保持パリソン保持凹部にパリソン保持枠の保持枠押圧部材が進入する状態を示す拡大平面図である。
【図１２】本発明の実施の形態で使用する金型押圧ブロックを使用した金型押圧部材の斜視図である。
【図１３】本発明の実施の形態で使用する金型押圧ブロックに押圧板を取付けた金型押圧部材の斜視図である。
【図１４】本発明の実施の形態で成形される燃料タンク斜視図である。
【図１５】従来のブロー成形金型の割型を開いた状態の斜視図である。
【発明を実施するための形態】
【００２９】
本発明の実施の形態のブロー成形金型を使用して、ブロー成形品をパリソンから成形するブロー成形金型のシート状のパリソン落下、剥がれ防止構造について、ブロー成形品である自動車用の燃料タンク１を製造するブロー成形方法に使用するブロー成形金型のシート状のパリソン落下、剥がれ防止構造を例にとり、図１〜図１４に基づき説明する。本発明は、燃料タンク１の成形方法に使用するブロー成形金型のシート状のパリソン落下、剥がれ防止構造を例にとり説明するが、他のブロー成形品のブロー成形方法に使用するブロー成形金型のシート状のパリソン落下、剥がれ防止構造ついても使用することができる。
【００３０】
図１４は、本発明の実施の形態のブロー成形方法により製造された燃料タンク１の斜視図である。
本発明の実施の形態において、ブロー成形装置で製造される燃料タンク１は、図１４に示すように、その燃料タンク１に燃料ポンプ（図示せず）等を出し入れするためにポンプユニット取付孔４が上面に形成されている。また、燃料タンク１の側面又は上面には、インレットパイプ（図示せず）から燃料を注入する燃料注入孔５が形成されている。
【００３１】
また、燃料タンク１の周囲には外周リブ２が全周に亘り形成されており、外周リブ２のコーナー部等の所定箇所には、数箇所に亘り取付用孔３が形成され、取付用孔３と車体をボルト締めすることにより、燃料タンク１を車体に取付けている。
さらに、燃料タンク１の上面には、内部の燃料蒸気を回収するホース等を接続する各所の取付孔６が形成されている。
【００３２】
本実施の形態において成形される燃料タンク１は、ブロー成形の製造装置で製造されるが、燃料タンク１の外壁は、ブロー成形で形成され、その外壁は、１層又は多層で形成され、多層の場合は、例えば、外側から順に表皮層、外部本体層、外部接着剤層、バリヤ層、内部接着剤層及び内部本体層から形成されている。
【００３３】
燃料タンク１の内部には、例えば、燃料タンク１の補強のための柱である支柱部材や、燃料の波うちを防止して、波うち音の発生を防止することができるための仕切り板や、燃料ポンプ、キャニスター等を取付ける箱状物等が内蔵部品として取付けられている。
【００３４】
内蔵部品は、ポリアセタール、高密度ポリエチレン（ＨＤＰＥ）等の耐燃料油性の熱可塑性合成樹脂で形成することができる。これにより燃料タンク１の強度を向上させることができるとともに、燃料タンク１の内部に取付けられても、燃料油による膨潤等で剛性が低下することがない。
【００３５】
本発明の実施の形態である燃料タンク1を成形するブロー成形金型のシート状のパリソン落下、剥がれ防止構造についてについて説明する。
本発明の実施の形態であるにブロー成形方法に使用するブロー成形割型１０は、図１に示すように、パーティングラインで２つに分割して形成されたブロー成形割型１０を有し、開閉面にブロー成形品である燃料タンク１を形成するブロー成形割型１０のキャビティー１１が形成されている。
【００３６】
キャビティー１１には、パリソン８の位置する方向にキャビティー１１面から突出するように摺動可能にスライドコア（図示せず。）が取付けられている。
ブロー成形割型１０が開いたときに、その間にパリソン８をブロー成形割型１０に保持させるパリソン保持枠２０が進退自在に設けられている。パリソン保持枠２０については後述する。
【００３７】
ブロー成形割型１０のキャビティー１１の周囲は、平面状又は湾曲したキャビティー周縁部１２が形成されている。キャビティー周縁部１２は、ブロー成形割型１０と他のブロー成形割型１０が合体してブロー成形金型が閉じられたときに、キャビティー周縁部１２同士が密着するように形成されている。
【００３８】
図１に示すように、ブロー成形割型１０のキャビティー周縁部１２には、パリソン保持凹部１３が設けられている。本実施の形態では、パリソン保持凹部１３はブロー成形割型１０の４隅に設けられているが、４隅以外の他の場所にも適宜設けることができる。
更に、パリソン保持凹部１３に隣接して、後述する金型押圧部材４０が設けられている。
【００３９】
パリソン保持凹部１３は、図７に示すように、ブロー成形割型１０の隅に、断面形状が長方形の凹部として形成され、キャビティー周縁部１２の側、即ちパリソン８と対抗する側と、ブロー成形割型１０の側面側に開口して形成されている。
また、キャビティー周縁部１２においても、キャビティー１１の周囲に隣接して、パリソン８が進入する内側ポケット１４を設けることができる。
【００４０】
ブロー成形割型１０の側面側に開口した部分には、図8に示すように、金型押圧部材４０が取付けられている。金型押圧部材４０は、図１２に示すように、パリソン保持凹部１３に押し込まれたパリソン８をパリソン保持凹部１３の側壁に押圧する金型押圧ブロック４１と、金型押圧ブロック４１をパリソン保持凹部１３に出入可能に摺動する金型押圧ブロックアクチュエータ４２から形成されている。
また、金型押圧部材４０は、図１３に示すように、金型押圧ブロック４１の先端に金型押圧板４３を設けることができる。
【００４１】
次に、パリソン保持枠２０について、図２と図３に基づき説明する。
パリソン保持枠２０は、ブロー成形割型１０のキャビティー周縁部１２に沿ってパリソン８を押圧するように形成されている。そのため、ブロー成形割型１０のパーティング面に沿って３次元形状に形成される。
【００４２】
そのため、パリソン保持枠２０は、中央部が保持枠中央部２１としてキャビティー１１に対応する部分は、空間が形成され、保持枠中央部２１を囲むように保持枠パリソン押圧部２２が形成されて、保持枠パリソン押圧部２２の周囲には保持枠周縁部２３が形成されている。保持枠パリソン押圧部２２がパリソン８をブロー成形割型１０のキャビティー周縁部１２に押圧する。
【００４３】
保持枠押圧部材３０は、図９に示すように、パリソン保持凹部１３に進入する保持枠押圧ブロック３１と、保持枠押圧ブロック３１をパリソン保持凹部１３内に進退自在に摺動させる保持枠アクチュエータ３２が設けられている。
【００４４】
パリソン保持枠２０の周囲の４箇所には、保持枠シリンダ２５が取付けられている。図３に示すように、保持枠シリンダ２５によりパリソン保持枠２０をブロー成形割型１０に対して移動させることができ、パリソン８をブロー成形割型１０のキャビティー周縁部１２に押圧することができる。
【００４５】
次に、図４〜図１４に基づいて、ブロー成形においてブロー成形割型１０にパリソン８を保持させる工程について説明する。
まず、ブロー成形金型を開いて、図４に示すように、パリソン保持枠２０をブロー成形割型１０とブロー成形割型１０の間に挿入する。図４は、ブロー成形割型１０の一方のみを表示しているが、他方のブロー成形割型１０も同様にパリソン保持枠２０を挿入する。
【００４６】
次に、ダイコア（図示せず。）から押出されたパリソン８は、縦方向に２枚に切断されて、切断されたパリソン８は、先端を保持されて、図４に示すように、ブロー成形割型１０とパリソン保持枠２０の間まで移動される。
なお、パリソン８は、２枚に切断されることなく、別々にシート状に押出されて、ブロー成形割型１０とパリソン保持枠２０の間まで移動させることができる。
【００４７】
次に、図５に示すように、保持枠シリンダ２５を作動させて、パリソン保持枠２０をブロー成形割型１０の方向に移動させる。そうすると。パリソン８はパリソン保持枠２０によりブロー成形割型１０のキャビティー周縁部１２に押圧される。その時、パリソン８の上下端は、保持枠押圧部材３０の保持枠押圧ブロック３１により、ブロー成形割型１０のパリソン保持凹部１３に若干挿入される。
【００４８】
次に、保持枠アクチュエータ３２を作動させて、保持枠押圧ブロック３１により、パリソン８をパリソン保持凹部１３に完全に挿入する。パリソン８をパリソン保持凹部１３に挿入する詳細は、後述する。
その時、ブロー成形割型１０の内側ポケット１４にもパリソン８が進入する。内側ポケット１４には、吸引パイプが設けられているため、パリソン８を吸引して、内側ポケット１４に入れ込むことができる。
【００４９】
次に、図６に示すように、保持枠シリンダ２５を作動させて、パリソン保持枠２０をブロー成形割型１０から離れるように移動させる。パリソン８は、パリソン保持凹部１３と内側ポケット１４に保持されて、ブロー成形割型１０から離れることがない。
その後、パリソン保持枠２０は、ブロー成形割型１０の間から取り出されて、左右のブロー成形割型１０が合体して、ブロー成形が行われる。
【００５０】
次に、図７〜図１４に基づき、パリソン８の上下端をブロー成形割型１０に保持させる詳細について説明する。
図７に示すように、パリソン８をパリソン保持凹部１３の付近に位置させる。この場合に、図８に示すようにパリソン保持凹部１３の側面に金型押圧部材４０を取付けることができる。
【００５１】
次に、図９に示すように、パリソン保持枠２０をパリソン８の方向に移動させて、パリソン８をブロー成形割型１０に押圧する。その後、保持枠押圧部材３０の保持枠アクチュエータ３２を作動させて、保持枠押圧ブロック３１でパリソン８をパリソン保持凹部１３の底面１３ａに押圧する。
【００５２】
パリソン保持凹部１３は、金型押圧部材４０が取付けられる側面（ブロー成形割型１０の側面）は、解放されており、保持枠押圧ブロック３１が進入する方向の奥は底面１３ａを形成し、金型押圧ブロック４１が進入する方向の奥は側面１３ｂを形成する。
【００５３】
その時、保持枠押圧ブロック３１は、図１０に示すように、金型押圧部材４０の金型押圧ブロック４１が進入可能に凹部３１ａを設けている。そのため、保持枠押圧ブロック３１でパリソン８をパリソン保持凹部１３の底面１３ａに押圧した後に、金型押圧部材４０の金型押圧ブロック４１でさらにパリソン８をパリソン保持凹部１３の側面１３ｂに押圧することができる。このため、パリソン８をパリソン保持凹部１３に一層強く保持することができる。
なお、金型押圧部材４０は省略することもできる。
【００５４】
パリソン８をブロー成形割型１０の上面や下面等に回すことなく、パリソン８の周縁部をブロー成形割型１０のパリソン保持凹部１３に保持して、パリソン８をキャビティー１１面に確実に位置するように保持することができる。キャビティー１１面からはみ出すパリソン８の量を少なくすることができる。
【符号の説明】
【００５５】
１  燃料タンク
８  パリソン
１０  ブロー成形割型
１２  キャビティー周縁部
１３  パリソン保持凹部
２０  パリソン保持枠
３０  保持枠押圧部材
３１  保持枠押圧ブロック
４０  金型押圧部材
【図１】
2019119054.tif 000003
【図２】
2019119054.tif 000004
【図３】
2019119054.tif 000005
【図４】
2019119054.tif 000006
【図５】
2019119054.tif 000007
【図６】
2019119054.tif 000008
【図７】
2019119054.tif 000009
【図８】
2019119054.tif 000010
【図９】
2019119054.tif 000011
【図１０】
2019119054.tif 000012
【図１１】
2019119054.tif 000013
【図１２】
2019119054.tif 000014
【図１３】
2019119054.tif 000015
【図１４】
2019119054.tif 000016
【図１５】
2019119054.tif 000017